(57)【特許請求の範囲】
【請求項１】
戸先と戸尻の中間部に、上端から下端に亘る縦方向のスリット部分を有する戸本体における前記スリット部分の対向面に、夫々縦方向の溝を設け、これら溝内に、剛性を有する透光材からなる採光板の幅方向の両端部の夫々を嵌入して接着固定し、次に、前記スリット部分の対向面間に、前記採光板を挟むようにして剛性を有する透光材からなる一対の採光板を嵌入して接着固定したことを特徴とする戸におけるスリット状明り取りの組み付け方法。
【請求項２】
戸が、戸本体の上部に上部吊り車を取り付けると共に、下部に振れ止め溝を設けた上吊り片引き戸であり、戸先と戸尻の中間部に、上端から下端に亘る縦方向のスリット部分を有する戸本体における前記スリット部分の対向面に、夫々縦方向の溝を設け、これら溝内に、剛性を有する透光材からなり、下端部を前記振れ止め溝の底部と一致する位置までとなした採光板の幅方向の両端部の夫々を嵌入して接着固定し、次に、前記スリット部分の対向面間に、前記採光板を挟むようにして、剛性を有する透光材からなり、下端部を前記戸本体の下端部と一致する位置までとなした一対の採光板を嵌入して接着固定し、次に、前記戸本体の下端部における厚さ方向の中央部に、所要の深さの振れ止め溝を削設してなる請求項１記載の戸におけるスリット状明り取りの組み付け方法。
【請求項３】
戸が、戸本体の下部に戸車を取り付けると共に、上部にガイド溝を設けた下戸車片引き戸であり、戸先と戸尻の中間部に、上端から下端に亘る縦方向のスリット部分を有する戸本体における前記スリット部分の対向面に、夫々縦方向の溝を設け、これら溝内に、剛性を有する透光材からなり、上端部を前記ガイド溝の底部と一致する位置までとなした採光板の幅方向の両端部の夫々を嵌入して接着固定し、次に、前記スリット部分の対向面間に、前記採光板を挟むようにして、剛性を有する透光材からなり、上端部を前記戸本体の上端部と一致する位置までとなした一対の採光板を嵌入して接着固定し、次に、前記戸本体の上端部における厚さ方向の中央部に、所要の深さのガイド溝を削設してなる請求項１記載の戸におけるスリット状明り取りの組み付け方法。 
【発明の詳細な説明】
【技術分野】
【０００１】
本発明は、建物の戸におけるスリット状明り取りの組み付け方法に関するものである。
【背景技術】
【０００２】
建物の戸には開き戸と引き戸があり、そしてそのいずれの戸においても戸本体に縦方向のスリット状明り取りを設けているものがある。
【０００３】
そして、そのようなものにおいて明り取りを設けるための各部材の組み付け方法において、次の如き問題点がある。
【０００４】
図６乃至図８は、従来の開き戸における戸本体にスリット状明り取りを設ける場合の各部材の組み付け方法を示すものであり、図６及び図７に示す如く、先ず、戸先１００ａと戸尻（図示せず。）の中間部に、上端から下端に亘る縦方向のスリット部分１０２を有する戸本体１００における前記スリット部分１０２の対向面１００′、１００″に、夫々ダボ穴１０３、１０３を設け、これらダボ穴１０３、１０３内に、透光材からなる採光板１０４に貫通させて取り付けたダボ１０５の両側突出部分を嵌入して接着固定してなるものである。
【０００５】
図８は上記の通りの手順により組み付けを完了した後の状態を示すものであるが、この状態においてはスリット部分１０２において採光板１０４の内部に、戸本体１００の内外いずれの方向からもダボ１０５の影が見えることになる。このため意匠性の面において印象が悪く、高級感を醸し出すことができなかった。また、戸本体１００のスリット部分１０２の剛性を維持するためには、ダボ１０５をスリット部分１０２において上下に多数必要とし、その分更に見栄えが悪くなるという問題があった。
【０００６】
また、上記説明は開き戸についてのものであるが、上吊り片引き戸と下戸車片引き戸を含む引き戸についても同様の問題点がある。
【０００７】
即ち、引き戸におけるスリット状明り取りを設けるための各部材の組み付け方法も、前記開き戸におけると同様であり、また、その場合の問題点も同様である。
【発明の概要】
【発明が解決しようとする課題】
【０００８】
本発明は上記の点に鑑みなされたものであって、組み付けた状態においてスリット部分の採光板に内外いずれの方向から見ても従来の如きダボの影が見えず、もって高級感を醸し出すことができると共に、スリット部分の対向面の夫々の溝に嵌入して接着固定した剛性を有する透光材からなる採光板は、戸本体の上端から下端に亘って一枚の板として全体的に延在していることから、従来に比してスリット部分の剛性を一段と高めることができるようになした戸におけるスリット状明り取りの組み付け方法を提供しようとするものである。
【課題を解決するための手段】
【０００９】  而して、本発明の要旨とするところは、（１）戸先と戸尻の中間部に、上端から下端に亘る縦方向のスリット部分を有する戸本体における前記スリット部分の対向面に、夫々縦方向の溝を設け、これら溝内に、剛性を有する透光材からなる採光板の幅方向の両端部の夫々を嵌入して接着固定し、次に、前記スリット部分の対向面間に、前記採光板を挟むようにして剛性を有する透光材からなる一対の採光板を嵌入して接着固定したことを特徴とする戸におけるスリット状明り取りの組み付け方法。（２）前記（１）において、戸が、戸本体の上部に上部吊り車を取り付けると共に、下部に振れ止め溝を設けた上吊り片引き戸であり、戸先と戸尻の中間部に、上端から下端に亘る縦方向のスリット部分を有する戸本体における前記スリット部分の対向面に、夫々縦方向の溝を設け、これら溝内に、剛性を有する透光材からなり、下端部を前記振れ止め溝の底部と一致する位置までとなした採光板の幅方向の両端部の夫々を嵌入して接着固定し、次に、前記スリット部分の対向面間に、前記採光板を挟むようにして、剛性を有する透光材からなり、下端部を前記戸本体の下端部と一致する位置までとなした一対の採光板を嵌入して接着固定し、次に、前記戸本体の下端部における厚さ方向の中央部に、所要の深さの振れ止め溝を削設してなる戸におけるスリット状明り取りの組み付け方法。（３））前記（１）において、戸が、戸本体の下部に戸車を取り付けると共に、上部にガイド溝を設けた下戸車片引き戸であり、戸先と戸尻の中間部に、上端から下端に亘る縦方向のスリット部分を有する戸本体における前記スリット部分の対向面に、夫々縦方向の溝を設け、これら溝内に、剛性を有する透光材からなり、上端部を前記ガイド溝の底部と一致する位置までとなした採光板の幅方向の両端部の夫々を嵌入して接着固定し、次に、前記スリット部分の対向面間に、前記採光板を挟むようにして、剛性を有する透光材からなり、上端部を前記戸本体の上端部と一致する位置までとなした一対の採光板を嵌入して接着固定し、次に、前記戸本体の上端部における厚さ方向の中央部に、所要の深さのガイド溝を削設してなる戸におけるスリット状明り取りの組み付け方法。にある。 
【発明の効果】
【００１０】
本発明は上記の如き組み付け方法であるから、組み付けた状態においてスリット部分の採光板に内外いずれの方向から見ても従来の如きダボの影が見えず、もって高級感を醸し出すことができると共に、スリット部分の対向面の夫々の溝に嵌入して接着固定した剛性を有する透光材からなる採光板は、戸本体の上端から下端に亘って一枚の板として全体的に延在していることから、従来に比してスリット部分の剛性を一段と高めることができるものである。
【図面の簡単な説明】
【００１１】
【図１】本発明の第１実施形態に係る戸におけるスリット状明り取りの組み付け方法によって組み付けた戸の設置状態の斜視図である。
【図２】本発明の第１実施形態に係る戸におけるスリット状明り取りの組み付け方法の説明図であり、組み付け前の部分拡大斜視図である。
【図３】同組み付け途中の部分拡大横断面図である。
【図４】同組み付け完了状態の部分拡大横断面図である。
【図５】同組み付け完了状態の部分拡大正面図である。
【図６】開き戸における従来の組み付け方法の説明図であり、組み付け前の部分拡大斜視図である。
【図７】同組み付け途中の部分拡大横断面図である。
【図８】同組み付け完了状態の部分拡大正面図である。
【図９】本発明の第２実施形態に係る戸におけるスリット状明り取りの組み付け方法によって組み付けた戸の設置状態の正面図である。
【図１０】本発明の第２実施形態に係る戸におけるスリット状明り取りの組み付け方法によって組み付けた戸の一部省略して示した部分拡大斜視図である。
【図１１】本発明の第２実施形態に係る戸におけるスリット状明り取りの組み付け方法の説明図であり、組み付け前の上部側の部分拡大斜視図である。
【図１２】同組み付け途中の部分拡大横断面図である。
【図１３】同組み付け完了状態の部分拡大横断面図である。
【図１４】本発明の第２実施形態に係る戸におけるスリット状明り取りの組み付け方法の説明図であり、組み付け前の下部側の部分拡大斜視図である。
【図１５】同組み付け完了状態の部分拡大斜視図である。
【図１６】同組み付け完了後に振れ止め溝を形成した状態の部分拡大斜視図である。
【図１７】本発明の第２実施形態に係る戸におけるスリット状明り取りの組み付け方法によって組み付けた戸で用いる振れ止めの斜視図である。
【図１８】上吊り片引き戸における従来の組み付け方法の説明図であり、組み付け前の上部側の部分拡大斜視図である。
【図１９】同組み付け途中の部分拡大横断面図である。
【図２０】同組み付け完了状態の部分拡大正面図である。
【図２１】上吊り片引き戸における従来の組み付け方法の説明図であり、組み付け前の下部側の部分拡大斜視図である。
【図２２】同組み付け完了後に振れ止め溝を形成した状態の部分拡大斜視図である。
【図２３】本発明の第３実施形態に係る戸におけるスリット状明り取りの組み付け方法によって組み付けた戸の設置状態の一部省略して示した側面図である。
【図２４】本発明の第３実施形態に係る戸におけるスリット状明り取りの組み付け方法の説明図であり、組み付け前の部分拡大斜視図である。
【図２５】同組み付け途中の部分拡大横断面図である。
【図２６】同組み付け完了状態の部分拡大横断面図である。
【図２７】同組み付け完了状態の部分拡大斜視図である。
【図２８】同組み付け完了後に上部ガイド溝を形成した状態の部分拡大斜視図である。
【図２９】下戸車片引き戸における従来の組み付け方法の説明図であり、組み付け前の上部側の部分拡大斜視図である。
【図３０】同組み付け途中の部分拡大横断面図である。
【図３１】同組み付け完了後に上部ガイド溝を形成した状態の部分拡大斜視図である。
【発明を実施するための形態】
【００１２】
以下、本発明を実施するための形態について、図面を参照して説明する。
【００１３】
先ず、図１乃至図５に示した本発明の第１実施形態について説明する。
【００１４】
本実施形態は戸が開き戸である場合の形態であり、図１に示す如く、該戸１は部屋Ｒの開口部Ｒ１に内外方向に開閉するように配設されている。
【００１５】
また、該戸１は、以下の組み付け方法によって戸本体１Ａに縦方向のスリット状明り取りＬを設けている。而して、該組み付け方法は、戸先１ａと戸尻１ｂの中間部（本実施形態においては戸先１ａ寄りの部分）に、上端から下端に亘る縦方向のスリット部分Ｓを有する戸本体１Ａにおける前記スリット部分Ｓの対向面に、夫々縦方向の溝２、２を設け、これら溝２、２内に、剛性を有する透光材からなる採光板３の幅方向の両端部の夫々を嵌入して接着固定し、次に、前記スリット部分Ｓの対向面間に、前記採光板３を挟むようにして剛性を有する透光材からなる一対の採光板４、４を嵌入して接着固定してなるものである。
【００１６】
本実施形態に係る戸１は、上記組み付け方法によって縦方向のスリット状明り取りＬを設けたものであり、そして、上記組み付け方法によるものであるから、組み付けた状態においてスリット部分Ｓの採光板４に内外いずれの方向から見ても従来の如きダボの影が見えず、もって高級感を醸し出すことができると共に、スリット部分Ｓの対向面の夫々の溝２、２に嵌入して接着固定した剛性を有する透光材からなる採光板３は、戸本体１Ａの上端から下端に亘って一枚の板として全体的に延在していることから、従来に比してスリット部分Ｓの剛性を一段と高めることができるものである。
【００１７】
次に、図９乃至図１７に示す本発明の第２実施形態について説明する。
【００１８】
本実施形態は戸が上吊り片引き戸である場合の形態であり、図９に示す如く、該戸１０は部屋Ｒの開口部Ｒ１にスライドして開閉するように配設されている。尚、ＵＧは戸１０の上部に取り付けた上部吊り車Ｗをガイドする、部屋の開口部の上部に配置した上部ガイドレール、ＤＧは戸１０の下部に設けた振れ止め溝１１に入り込む振れ止めであり、図１７はこれを拡大して示すものである。
【００１９】
また、該戸１０は、以下の組み付け方法によって戸本体１０Ａに縦方向のスリット状明り取りＬを設けている。而して、該組み付け方法は、戸先１０ａと戸尻１０ｂの中間部（本実施形態においては戸先１０ａ寄りの部分）に、上端から下端に亘る縦方向のスリット部分Ｓを有する戸本体１０Ａにおける前記スリット部分Ｓの対向面に、夫々縦方向の溝１２、１２を設け、これら溝１２、１２内に、剛性を有する透光材からなる採光板１３の幅方向の両端部の夫々を嵌入して接着固定し、次に、前記スリット部分Ｓの対向面間に、前記採光板１３を挟むようにして剛性を有する透光材からなる一対の採光板１４、１４を嵌入して接着固定してなるものである。
【００２０】
また、本実施形態は戸が上吊り片引き戸である場合の形態であるから、戸１０の上部に取り付けた上部吊り車Ｗと部屋の開口部に配置した上部ガイドレールＵＧとをもって吊り下げた状態においてスライドし、下部はそれに設けた振れ止め溝１１に入り込む振れ止めＤＧによってガイドされるものである。そしてまた、該戸１０はこのように下部に振れ止め溝１１を設けているものであることから、前記溝１２、１２及び採光板１３の下端部は、該振れ止め溝１１の底部と一致する位置までとなっている。
【００２１】
図１８乃至図２２は上吊り片引き戸における従来の組み付け方法の説明図であり、図１８乃至図２０は上部側の部分を示すものである。１０′は戸である。そして、該戸１０′において、戸先１０ａ′と戸尻（図示せず。）の中間部に、上端から下端に亘る縦方向のスリット部分Ｓを有する戸本体１０Ａ′における前記スリット部分Ｓの対向面に、夫々ダボ穴１５、１５を設け、これらダボ穴１５、１５内に、透光材からなる採光板１６に貫通させて取り付けたダボ１７の両側突出部分を嵌入して接着固定してなるものである。尚、戸１０′におけるその他の構成は、前記第１実施形態と同様である。
【００２２】
そしてまた、従来の斯かる組み付け方法による場合の問題点も、前記図６乃至図８に示す従来の組み付け方法による場合と同様である。そしてまた、斯かる問題点に加えて、更に次の如き問題点もある。
【００２３】
即ち、従来の斯かる組み付け方法による場合には、戸本体１０Ａ′のスリット部分Ｓの対向面間を、ダボ穴１５、１５とダボ１７との組み合わせで結合することに加えて、図２１及び図２２に示す下部側の部分において、戸本体１０Ａ′のスリット部分Ｓの下端側の対向面間を、スリット部分Ｓの対向面の夫々に設けた切欠凹部１８、１８に、板状の連結ブロック１９を嵌入して結合するものであり、そして最後に戸本体１０Ａ′と連結ブロック１９の下面を切削して所要の深さの振れ止め溝１１′を形成するものである。
【００２４】
しかし、斯かる場合には、前記の如き問題点に加えて、図２２に示す如く、採光板１６と連結ブロック１９との材質の相違や一部に段差Ｇができること等から見栄えが悪くなるという問題点もある。
【００２５】
これに対して、前記本発明の第２実施形態によれば、連結ブロックを使用しないから材質の相違が問題にならず、且つまた、採光板１４、１４は戸１０Ａの下端まで延びているから、一部に段差もできないものである。
【００２６】
よって、本発明の第２実施形態によれば、前記図６乃至図８に示す従来の組み付け方法による場合の問題点を解消することができると共に、戸本体のスリット部分の下端側の対向面間の連結を連結ブロックを用いずして行うものであるから、連結ブロックを用いる場合の問題点も解消することができるものである。
【００２７】
次に、図２３乃至図２８に示す本発明の第３実施形態について説明する。
【００２８】
本実施形態は戸が下戸車片引き戸である場合の形態であり、図２３に示す如く、該戸２０は部屋Ｒの開口部にスライドして開閉するように配設されている。尚、２１は戸２０の下部に取り付けた戸車、２２は該戸車２１のガイドレールである。また、該戸２０は、上部にガイド溝２３を設け、部屋の開口部の上部に取り付けた軸断面コ字形のガイド部材２４が摺動するようになされている。
【００２９】
また、該戸２０は、以下の組み付け方法によって戸本体２０Ａに縦方向のスリット状明り取りＬを設けている。而して、該組み付け方法は、戸先２０ａと戸尻（図示せず。）の中間部（本実施形態においては戸先２０ａ寄りの部分）に、上端から下端に亘る縦方向のスリット部分Ｓを有する戸本体２０Ａにおける前記スリット部分Ｓの対向面に、夫々縦方向の溝２５、２５を設け、これら溝２５、２５内に剛性を有する透光材からなる採光板２６の幅方向の両端部の夫々を嵌入して接着固定し、次に、前記スリット部分Ｓの対向面間に前記採光板２６を挟むようにして剛性を有する透光材からなる一対の採光板２７、２７を嵌入して接着固定してなるものである。
【００３０】
また、本実施形態は戸が下戸車片引き戸である場合の形態であるから、戸２０の下部に取り付けた戸車２１とガイドレール２２とをもって支持された状態においてスライドし、上部は、それの上部に設けたガイド溝２３とこれに摺動自在に入り込むガイド部材２４とによってガイドされるものである。そしてまた、該戸２０はこのように上部にガイド溝２３を設けているものであるから、最後に該ガイド溝２３を形成する前までの組み付け段階において、前記採光板２６の上端部は、該ガイド溝２３の底部と一致する位置までとしている。
【００３１】
図２９乃至図３１は下戸車片引き戸における従来の組み付け方法の説明図であり、２０′は戸である。そして、該戸２０′において、戸先２０ａ′と戸尻（図示せず。）の中間部に、上端から下端に亘る縦方向のスリット部分Ｓを有する戸本体２０Ａ′における前記スリット部分Ｓの対向面に、夫々ダボ穴２８、２８を設け、これらダボ穴２８、２８内に、透光材からなる採光板２９に貫通させて取り付けたダボ３０の両側突出部分を嵌入して接着固定してなるものである。
【００３２】
そしてまた、従来の斯かる組み付け方法による場合の問題点も、前記図６乃至図８に示す従来の組み付け方法による場合と同様である。そしてまた、斯かる問題点に加えて、更に次の如き問題点もある。
【００３３】
即ち、従来の斯かる組み付け方法による場合には、戸本体２０Ａ′のスリット部分Ｓの対向面間を、ダボ穴２８、２８とダボ３０との組み合わせで結合することに加えて、戸本体２０Ａ′のスリット部分Ｓの上端側の対向面間を、スリット部分Ｓの対向面の夫々に設けた切欠凹部３１、３１に、板状の連結ブロック３２を嵌入して結合するものであり、そして最後に戸本体２０Ａ′と連結ブロック３２の上面を切削して所要の深さのガイド溝２３′を形成するものである。
【００３４】
しかし、斯かる場合には、前記の如き問題点に加えて、図３１に示す如く、採光板２９と連結ブロック３２との材質の相違や一部に段差Ｇができること等から見栄えが悪くなるという問題点もある。
【００３５】
これに対して、前記本発明の第３実施形態によれば、連結ブロックを使用しないから材質の相違が問題にならず、且つまた、採光板２７、２７は戸２０Ａの上端まで延びているから、一部に段差もできないものである。
【００３６】
よって、本発明の第３実施形態によれば、前記図６乃至図８に示す従来の組み付け方法による場合の問題点を解消することができると共に、戸本体のスリット部分の上端側の対向面間の連結を連結ブロックを用いずして行うものであるから、連結ブロックを用いる場合の問題点も解消することができるものである。
【符号の説明】
【００３７】
１  戸
１Ａ  戸本体
１ａ  戸先
１ｂ  戸尻
２、２  溝
３  採光板
４、４  一対の採光板
１０  戸
１０Ａ  戸本体
１０ａ  戸先
１０ｂ  戸尻
１１  振れ止め溝
１２、１２  溝
１３  採光板
１４、１４  一対の採光板
２０  戸
２０Ａ  戸本体
２０ａ  戸先
２０ｂ  戸尻
２５、２５  溝
２６  採光板
２７、２７  一対の採光板
Ｓ  スリット部分
Ｌ  スリット状明り取り
【要約】
【課題】  スリット状明り取りを設けるための各部材を組み付けた状態において、スリット部分の採光板に内外いずれの方向から見ても従来の如きダボの影が見えないと共に、スリット部分の剛性を一段と高めることができるようにしたスリット状明り取りの組み付け方法を提供する。
【解決手段】  戸先１ａと戸尻１ｂの中間部に、上端から下端に亘る縦方向のスリット部分Ｓを有する戸本体１Ａにおける前記スリット部分Ｓの対向面に、夫々縦方向の溝２、２を設ける。次に、これら溝２、２内に、剛性を有する透光材からなる採光板３の幅方向の両端部の夫々を嵌入して接着固定する。次に、スリット部分Ｓの対向面間に、採光板３を挟むようにして剛性を有する透光材からなる一対の採光板４、４を嵌入して接着固定する。
【選択図】  図２【図１】
0006837587.tif 000002
【図２】
0006837587.tif 000003
【図３】
0006837587.tif 000004
【図４】
0006837587.tif 000005
【図５】
0006837587.tif 000006
【図６】
0006837587.tif 000007
【図７】
0006837587.tif 000008
【図８】
0006837587.tif 000009
【図９】
0006837587.tif 000010
【図１０】
0006837587.tif 000011
【図１１】
0006837587.tif 000012
【図１２】
0006837587.tif 000013
【図１３】
0006837587.tif 000014
【図１４】
0006837587.tif 000015
【図１５】
0006837587.tif 000016
【図１６】
0006837587.tif 000017
【図１７】
0006837587.tif 000018
【図１８】
0006837587.tif 000019
【図１９】
0006837587.tif 000020
【図２０】
0006837587.tif 000021
【図２１】
0006837587.tif 000022
【図２２】
0006837587.tif 000023
【図２３】
0006837587.tif 000024
【図２４】
0006837587.tif 000025
【図２５】
0006837587.tif 000026
【図２６】
0006837587.tif 000027
【図２７】
0006837587.tif 000028
【図２８】
0006837587.tif 000029
【図２９】
0006837587.tif 000030
【図３０】
0006837587.tif 000031
【図３１】
0006837587.tif 000032